(57)【要約】【課題】生産工程管理等における膨大な履歴情報を、秘匿性を保持して扱うことができ、さらにデータ圧縮効果を高め、高い情報密度で扱うことができる履歴情報カラーコードおよびその作成方法、復元方法、並びに履歴情報管理の方法等を提供する。【解決手段】本発明の履歴情報カラーコードは、任意の１つの識別番号（ＩＤ）が付与された１つの識別物に関する複数の履歴情報オブジェクト（ＯＨ）と、複数の履歴情報オブジェクト（ＯＨ）のそれぞれに、処理順序または入力順序に従って追加／累積される時系列的な一連の複数の工程履歴情報（Ｏｎ）と、複数の履歴情報オブジェクト（ＯＨ）のそれぞれに、履歴情報カラー（ＣＨ）と履歴情報カラー数値（ＮＨ）を割り当てて生成されるＣＨ−ＮＨ−ＯＨレコードと、を含む。【選択図】図１
2011059938.tif 000002
【特許請求の範囲】
【請求項１】
任意の１つの識別番号（ＩＤ）が付与された１つの識別物に関する複数の履歴情報オブジェクト（ＯＨ）と、
前記複数の履歴情報オブジェクト（ＯＨ）のそれぞれに、処理順序または入力順序に従って追加／累積される時系列的な一連の複数の工程履歴情報（Ｏｎ）と、
前記複数の履歴情報オブジェクト（ＯＨ）のそれぞれに、履歴情報カラー（ＣＨ）と履歴情報カラー数値（ＮＨ）を割り当てて生成されるＣＨ−ＮＨ−ＯＨレコードと、
を含むことを特徴とする履歴情報カラーコード。
【請求項２】
前記識別物は、複数の処理ステップからなる処理プロセスの当該複数の処理ステップの各々によって順次に処理され、その処理の結果として蓄積される前記ＣＨ−ＮＨ−ＯＨレコード形式の履歴情報レコードを含み、
蓄積した前記履歴情報レコードに基づいて履歴情報カラーコード表（ＴＨ）を生成する、
ことを特徴とする請求項１記載の履歴情報カラーコード。
【請求項３】
前記識別物は基板または病院患者カルテであることを特徴とする請求項１または２記載の履歴情報カラーコード。
【請求項４】
前記履歴情報カラー（ＣＨ）または前記履歴情報カラー数値（ＮＨ）は発信側コンピュータから受信側コンピュータに送信され、前記受信側コンピュータで、別途に配送された前記履歴情報カラーコード表（ＴＨ）に基づいて、前記履歴情報カラー（ＣＨ）または前記履歴情報カラー数値（ＮＨ）は前記工程履歴情報（Ｏｎ）に逆変換されるように使用されることを特徴とする請求項２記載の履歴情報カラーコード。
【請求項５】
任意の１つの識別番号（ＩＤ）が付与された１つの識別物に関して複数の履歴情報オブジェクト（ＯＨ）を作成する第１ステップと、
前記複数の履歴情報オブジェクト（ＯＨ）のそれぞれに、時系列的な一連の複数の工程履歴情報（Ｏｎ）を処理順序または入力順序に従って追加／累積する第２ステップと、
前記複数の履歴情報オブジェクト（ＯＨ）のそれぞれに、履歴情報カラー（ＣＨ）と履歴情報カラー数値（ＮＨ）を割り当て、ＣＨ−ＮＨ−ＯＨレコードを生成する第３ステップと、
からなることを特徴とする履歴情報カラーコードの作成方法。
【請求項６】
前記識別物は、複数の処理ステップからなる処理プロセスの当該複数の処理ステップの各々によって順次に処理され、その処理結果としての履歴情報レコードを、前記ＣＨ−ＮＨ−ＯＨレコードの形式で蓄積する第４ステップと、
蓄積した前記履歴情報レコードから履歴情報カラーコード表（ＴＨ）を生成する第５ステップと、
を有することを特徴とする請求項５記載の履歴情報カラーコードの作成方法。
【請求項７】
請求項６に記載された履歴情報カラーコードの作成方法で、前記履歴情報カラー（ＣＨ）または前記履歴情報カラー数値（ＮＨ）を発信側コンピュータから受信側コンピュータに発信する第６ステップと、
前記受信側コンピュータで、別途に配送された履歴情報カラーコード表（ＴＨ）に基づいて、前記履歴情報カラー（ＣＨ）または前記履歴情報カラー数値（ＮＨ）を、工程履歴情報（Ｏｎ）に逆変換して復元する第７ステップとを有することを特徴とする履歴情報カラーコードの復元方法。
【請求項８】
請求項５に記載された履歴情報カラーコードの作成方法における前記の第１ステップ、第２ステップ、第３ステップ、第４ステップ、および第５ステップは、第１のコンピュータで実行され、この第１のコンピュータで前記履歴情報カラーコード表（ＴＨ）を記録する記録媒体を用意し、
前記記録媒体は前記第１のコンピュータの側から第２のコンピュータの側へ配送され、
前記第１のコンピュータと前記第２のコンピュータのそれぞれで同一の前記履歴情報カラーコード表（ＴＨ）を備える、
ことを特徴とする履歴情報管理の方法。
【請求項９】
前記第１のコンピュータで、前記複数の履歴情報オブジェクト（ＯＨ）のそれぞれに前記工程履歴情報（Ｏｎ）を追加／累積すると共に、前記ＣＨ−ＮＨ−ＯＨレコードごとに、前記履歴情報オブジェクト（ＯＨ）の各要素オブジェクト（ＯＨＥ）を各要素カラー（ＣＥ）に変換し、
前記第１のコンピュータから前記履歴情報カラー（ＣＨ）と共に前記要素カラー（ＣＥ）を前記第２のコンピュータに対してインターネットを介して伝送し、
前記第２のコンピュータで、前記履歴情報カラー（ＣＨ）の各要素カラー（ＣＥ）を前記履歴情報オブジェクト（ＯＨ）の各要素オブジェクト（ＯＨＥ）に逆変換し、逆変換で取得した前記履歴情報オブジェクト（ＯＨ）を前記履歴情報カラーコード表（ＴＨ）に追加／累積する、
ことを特徴とする請求項８記載の履歴情報管理の方法。
【請求項１０】
履歴情報を含む履歴情報カラーコードに基づく前記履歴情報の関係付けが必要とされる対象物に識別コードを付して用いられる履歴情報カラーコードの入力方法であって、
前記識別コードを撮影または読取の手段により撮影または読取りすることに基づいて前記識別コードに関係付けられた前記対象物に係る前記履歴情報の入力、変更、または追加を行うようにしたことを特徴とする履歴情報カラーコードの入力方法。
【請求項１１】
履歴情報を含む履歴情報カラーコードに関連するファイルでありかつコンピュータの表示部に表示される前記ファイルに関連して用いられる履歴情報カラーコードの入力方法であって、
前記コンピュータの前記表示部に表示される前記ファイルの表示項目内の前記履歴情報の入力、変更、または追加を、撮影または読取の手段により前記履歴情報に付与されている識別コードを撮影または読取ることに基づいて行うようしたことを特徴とする履歴情報カラーコードの入力方法。
【請求項１２】
履歴情報を含む履歴情報カラーコードに関連するファイルでありかつコンピュータの表示部に表示される前記ファイルに関連して用いられる履歴情報カラーコードの入力方法であって、
前記ファイルに関係付けられた対象データの識別コードを読取る際に、前記識別コードが付与された前記対象データの対象そのもの、あるいは、読取る際における、読取りの時間、読取りの場所、読取りの始期、読取りの終期、読取りの始期から終期、読取りの回数、表示される項目、当該項目の表示内容、これらの事項と関係付けて前記ファイルに入力表記する事項を、前記ファイルのデータ項目の入力事項として予め定め、
上記の定められた関係に基づいた読取り情報によって、前記ファイルに関係するデータを入力、変更、または追加の情報として入力とすることを特徴とする履歴情報カラーコードの入力方法。
【請求項１３】
履歴情報を含む履歴情報カラーコードに関連するファイルでありかつコンピュータの表示部に表示される前記ファイルに関係付けられた事項の識別コードの読取りに基づいて構成される前記ファイルのデータベースを設けたシステムにおいて、
前記データベースのデータを他のファイルに関係付けて、前記他のファイルのデータに対してもかかるデータの入出力を行う関係を構成し、
関係付けられた前記他のファイル間で前記ファイルに表示される項目のデータの入力をカメラによりデータ対象に付与されている識別コードを読取ることで前記データの該当項目への入力を行うことを特徴とする履歴情報カラーコードの入力方法。
【請求項１４】
履歴情報を含む履歴情報カラーコードに基づく前記履歴情報の関係付けが必要とされる対象物に識別コードを付して用いられる履歴情報カラーコードの入力システムであって、
前記識別コードを撮影しまたは読取る手段と、
前記撮影または読取の手段によって撮影されまたは読取られた前記識別コードに基づいて、前記識別コードに関係付けられた前記対象物に係る前記履歴情報の入力、変更、または追加を行う手段と、
を備えることを特徴とする履歴情報カラーコードの入力システム。
【請求項１５】
履歴情報を含む履歴情報カラーコードに関連するファイルでありかつコンピュータの表示部に表示される前記ファイルに関連して用いられる履歴情報カラーコードの入力システムであって、
前記コンピュータの前記表示部に表示される前記ファイルの表示項目内の前記履歴情報に付与されている識別コードを撮影しまたは読取る手段と、
前記撮影または読取の手段によって撮影されまたは読み取られた前記識別コードに基づいて、前記コンピュータの前記表示部に表示される前記ファイルの表示項目内の前記履歴情報の入力、変更、または追加を行う手段と、
を備えることを特徴とする履歴情報カラーコードの入力システム。
【請求項１６】
履歴情報を含む履歴情報カラーコードに関連するファイルでありかつコンピュータの表示部に表示される前記ファイルに関連して用いられる履歴情報カラーコードの入力システムであって、
前記コンピュータの前記表示部に表示される前記ファイルの前記履歴情報に付与されている識別コードを撮影しまたは読取る手段と、
前記ファイルに関係付けられた対象データの識別コードを読取る際に、前記識別コードが付与された前記対象データの対象そのもの、あるいは、読取る際における、読取りの時間、読取りの場所、読取りの始期、読取りの終期、読取りの始期から終期、読取りの回数、表示される項目、当該項目の表示内容、これらの事項と関係付けて前記ファイルに入力表記する事項を、前記ファイルのデータ項目の入力事項として予め定める手段と、
前記撮影または読取の手段によって撮影されまたは読み取られた情報であってかつ上記の定められた関係に基づいた前記情報によって、前記ファイルに関係するデータを入力、変更、または追加の情報として入力とする手段と、
を備えることを特徴とする履歴情報カラーコードの入力システム。
【請求項１７】
履歴情報を含む履歴情報カラーコードに関連するファイルでありかつコンピュータの表示部に表示される前記ファイルに関係付けられた事項の識別コードの読取りに基づいて構成される前記ファイルのデータベースを設けたシステムにおいて、
前記データベースのデータを他のファイルに関係付けて、前記他のファイルのデータに対してもかかるデータの入出力を行う関係を構成する手段と、
関係付けられた前記他のファイル間で前記ファイルに表示される項目のデータの入力をカメラによりデータ対象に付与されている識別コードを読取ることで前記データの該当項目への入力を行う手段と、
を備えることを特徴とする履歴情報カラーコードの入力システム。
【発明の詳細な説明】
【技術分野】
【０００１】
本発明は、膨大な履歴情報を秘匿性を保持して扱える生産工程や販売の履歴管理等に適した履歴情報カラーコード、その作成方法、復元方法、および当該履歴情報カラーコードを用いて構成される履歴情報管理の方法に関する。
また本発明は、ファイル、データへの情報の入力および情報秘匿に適した技術分野に関し、カラーコードを利用した履歴情報の入力方法および入力システムに関する。
【背景技術】
【０００２】
コンピュータおよびその周辺装置、関連する諸種の装置、または通信回線で接続された複数のコンピュータからなるコンピュータシステム等で取り扱われる文字、記号、文書、図形、数式、画像、音声等のデータや情報（プログラムを含む）等を「コンピュータオブジェクト」と呼ぶ。かかるコンピュータオブジェクトについては、従来のコンピュータ等において認識可能な言語、図、絵画等を常態として使用している。またコンピュータ等におけるコンピュータオブジェクトの記録、再生、圧縮等においても同じである。
【０００３】
本出願人は、先に、「カラーを利用したコンピュータオブジェクトの表現等」に係る発明を提案した（特許文献１）。この発明は、コンピュータの内部で扱われる、あるいはコンピュータを介して扱われる「データまたは情報（コンピュータオブジェクト）」を例えばカラードット等の表現手段でカラーを利用して表現しようとする技術であり、またこの発明ではカラーを利用した暗号作成の方法についても言及している。
【０００４】
一般的にコンピュータ上取り扱われる情報管理に必要な入力は多岐にわたるがいずれも入力するものの負荷は大きく、しかも入力の精度は業務の管理レベルで左右される傾向がある。かかる状況の下では、データを入力する際の負荷の軽減、入力の精度の向上、および情報流出の防止の一元化を図る必要がある。
【先行技術文献】
【特許文献】
【０００５】
【特許文献１】国際公開ＷＯ００／７２２２８号公報
【発明の概要】
【発明が解決しようとする課題】
【０００６】
近年、生産工程管理、検査修理管理、リサイクル工程管理、販売管理等において、その膨大な履歴情報を秘匿性を保持して扱えるシステムが望まれている。
【０００７】
例えば、基板の生産工程では、当該生産工程を構成する複数の工程の各々での製造経歴表と、各工程での品質を表す記録とを、ロットごと、それぞれシートやカードを用意して記載し、それに基づき生産日報や作業日報を作成する共にコンピュータにデータ入力し、それを品質保証部等の管理部門で最終的に保管・管理するようにしていた。その後は、コンピュータの入出力装置を介してアクセスし、入力・集計を行うことができ、生産実績に反映させることができる。従来の基板の生産工程管理では、生産工程における各工程での生産履歴情報はロット単位のケースに添付され、秘匿性を有するものではなかった。
【０００８】
さらに併せて、近年、一般的に、業務の各分野で各種履歴情報の一層の確かな管理の必要が言われており、同時に個人情報の秘匿性と共にそれに関わる業務の秘匿性が重要視されている。多岐に渡る業務内容の時系列的な記述はその精度と共に秘匿性を問われながらもなかなか難しく例示を要しない状況にある。
加えて記帳入力時の過誤や作業の面倒さ、時間把握の難しさなどの入力・記録に際しての記憶の錯誤や間違いは経験する事柄であり、かかる背景からこの課題を一元的に解決することが望まれる。
【０００９】
本発明の目的は、例えば生産工程管理、検査修理管理、リサイクル工程管理、販売管理等における膨大な履歴情報を、秘匿性を保持して扱うことができ、さらにデータ圧縮効果を高め、高い情報密度で扱うことができる履歴情報カラーコードおよびその作成方法、復元方法、並びに履歴情報管理の方法を提供することにある。
本発明の他の目的は、履歴情報の入力作業（変更、追加の作業を含む）に関して、記帳入力時の過誤や面倒さ、時間把握の難しさをなくし、記録に際しての記憶の錯誤や間違いをなくすことができる履歴情報カラーコードの入力方法および入力システムを提供することにある。
【課題を解決するための手段】
【００１０】
本発明は、上記の目的を達成するため、次のように構成される。
【００１１】
本発明に係る履歴情報カラーコードは、任意の１つの識別番号（ＩＤ）が付与された１つの識別物に関する複数の履歴情報オブジェクト（ＯＨ）と、複数の履歴情報オブジェクト（ＯＨ）のそれぞれに、処理順序または入力順序に従って追加／累積される時系列的な一連の複数の工程履歴情報（Ｏｎ）と、複数の履歴情報オブジェクト（ＯＨ）のそれぞれに、履歴情報カラー（ＣＨ）と履歴情報カラー数値（ＮＨ）を割り当てて生成されるＣＨ−ＮＨ−ＯＨレコードと、を含むことで特徴づけられる。
上記の「ＣＨ−ＮＨ−ＯＨレコード」は「ＣＨ−ＮＨ−ＯＨ」のデータ構造を持つ履歴情報カラーコードレコードである。以下、必要に応じて「レコード」と略称する。
なお上記において履歴情報カラー数値（ＮＨ）としたが、その代わりに一般的にカラー数値（Ｎ）とすることもできる。
【００１２】
上記の履歴情報カラーコードで、識別物は例えば実装基板であり、識別番号ＩＤは当該実装基板の識別番号である。履歴情報オブジェクトＯＨは、履歴情報に関するコンピュータオブジェクト（以下「オブジェクト」と記す）であって、複数の工程履歴情報項目のリスト（順列）で構成される。当該履歴情報オブジェクトＯＨは、識別物ごとの工程に関する履歴情報の項目の時系列的データであり、履歴情報レコードのオブジェクトグループを形成している。時系列的データの履歴情報オブジェクトＯＨに対応する履歴情報カラーＣＨと履歴情報カラー数値ＮＨは、代表的カラーであり代表値である。より少ない情報量で表現するので、データ圧縮効果がある。
【００１３】
上記の履歴情報カラーコードにおいて、好ましくは、識別物は、複数の処理ステップからなる処理プロセスの当該複数の処理ステップの各々によって順次に処理され、その処理の結果として蓄積されるＣＨ−ＮＨ−ＯＨレコード形式の履歴情報レコードを含み、蓄積した履歴情報レコードに基づいて履歴情報カラーコード表（ＴＨ）を生成する、ことで特徴づけられる。
【００１４】
上記の履歴情報カラーコードにおいて、好ましくは、識別物は実装基板または病院患者カルテであることを特徴とする。
【００１５】
本発明に係る履歴情報カラーコードは、履歴情報カラー（ＣＨ）または履歴情報カラー数値（ＮＨ）は発信側コンピュータから受信側コンピュータに送信され、受信側コンピュータで、別途に配送された履歴情報カラーコード表（ＴＨ）に基づいて、履歴情報カラー（ＣＨ）または履歴情報カラー数値（ＮＨ）は工程履歴情報（Ｏｎ）に逆変換されるように使用されることを特徴とする。
【００１６】
本発明に係る履歴情報カラーコードの作成方法は、任意の１つの識別番号（ＩＤ）が付与された１つの識別物に関して複数の履歴情報オブジェクト（ＯＨ）を作成する第１ステップと、複数の履歴情報オブジェクト（ＯＨ）のそれぞれに、時系列的な一連の複数の工程履歴情報（Ｏｎ）を処理順序または入力順序に従って追加／累積する第２ステップと、複数の履歴情報オブジェクト（ＯＨ）のそれぞれに、履歴情報カラー（ＣＨ）と履歴情報カラー数値（ＮＨ）を割り当て、ＣＨ−ＮＨ−ＯＨレコードを生成する第３ステップと、からなることで特徴づけられている。
【００１７】
上記の履歴情報カラーコードの作成方法において、さらに、識別物は、複数の処理ステップからなる処理プロセスの当該複数の処理ステップの各々によって順次に処理され、その処理結果としての履歴情報レコードを、ＣＨ−ＮＨ−ＯＨレコードの形式で蓄積する第４ステップと、蓄積した履歴情報レコードから履歴情報カラーコード表（ＴＨ）を生成する第５ステップと、を有することを特徴とする。
【００１８】
本発明に係る履歴情報カラーコードの復元方法は、上記の履歴情報カラーコードの作成方法を利用して構成され、履歴情報カラー（ＣＨ）または履歴情報カラー数値（ＮＨ）を発信側コンピュータから受信側コンピュータに発信する第６ステップと、受信側コンピュータで別途に配送された履歴情報カラーコード表（ＴＨ）に基づいて、履歴情報カラー（ＣＨ）または履歴情報カラー数値（ＮＨ）を、工程履歴情報（Ｏｎ）に逆変換して復元する第７ステップとを有することにより構成される。
【００１９】
本発明に係る履歴情報管理の方法は、上述した履歴情報カラーコードの作成方法における上記の第１ステップ、第２ステップ、第３ステップ、第４ステップ、および第５ステップが、第１のコンピュータで実行され、この第１のコンピュータで履歴情報カラーコード表（ＴＨ）を記録する記録媒体を用意し、この記録媒体は第１のコンピュータの側から第２のコンピュータの側へ配送され、第１のコンピュータと第２のコンピュータのそれぞれで同一の履歴情報カラーコード表（ＴＨ）を備えることで特徴づけられる。
【００２０】
上記の履歴情報管理の方法において、第１のコンピュータで、複数の履歴情報オブジェクト（ＯＨ）のそれぞれに工程履歴情報（Ｏｎ）を追加／累積すると共に、ＣＨ−ＮＨ−ＯＨレコードごとに、履歴情報オブジェクト（ＯＨ）の各要素オブジェクト（ＯＨＥ）を各要素カラー（ＣＥ）に変換し、第１のコンピュータから履歴情報カラー（ＣＨ）と共に要素カラー（ＣＥ）を第２のコンピュータに対してインターネットを介して伝送し、第２のコンピュータで、履歴情報カラー（ＣＨ）の各要素カラー（ＣＥ）を履歴情報オブジェクト（ＯＨ）の各要素オブジェクト（ＯＨＥ）に逆変換し、逆変換で取得した履歴情報オブジェクト（ＯＨ）を履歴情報カラーコード表（ＴＨ）に追加／累積することで特徴づけられる。
【００２１】
本発明に係る履歴情報カラーコードの入力方法は、履歴情報を含む履歴情報カラーコードに基づく履歴情報の関係付けが必要とされる対象物に識別コードを付して用いられる方法であって、識別コードを撮影または読取の手段により撮影または読取りすることに基づいて識別コードに関係付けられた対象物に係る履歴情報の入力、変更、または追加を行うようにしたことを特徴とする。
【００２２】
本発明に係る履歴情報カラーコードの入力方法は、履歴情報を含む履歴情報カラーコードに関連するファイルでありかつコンピュータの表示部に表示されるファイルに関連して用いられる方法であって、コンピュータの表示部に表示されるファイルの表示項目内の履歴情報の入力、変更、または追加を、撮影または読取の手段により履歴情報に付与されている識別コードを撮影または読取ることに基づいて行うようしたことを特徴とする。
【００２３】
本発明に係る履歴情報カラーコードの入力方法は、履歴情報を含む履歴情報カラーコードに関連するファイルでありかつコンピュータの表示部に表示されるファイルに関連して用いられる方法であって、
ファイルに関係付けられた対象データの識別コードを読取る際に、識別コードが付与された対象データの対象そのもの、あるいは、読取る際における、読取りの時間、読取りの場所、読取りの始期、読取りの終期、読取りの始期から終期、読取りの回数、表示される項目、当該項目の表示内容、これらの事項と関係付けてファイルに入力表記する事項を、ファイルのデータ項目の入力事項として予め定め、
上記の定められた関係に基づいた読取り情報によって、ファイルに関係するデータを入力、変更、または追加の情報として入力とすることを特徴とする。
【００２４】
本発明に係る履歴情報カラーコードの入力方法は、履歴情報を含む履歴情報カラーコードに関連するファイルでありかつコンピュータの表示部に表示されるファイルに関係付けられた事項の識別コードの読取りに基づいて構成されるファイルのデータベースを設けたシステムにおいて、
データベースのデータを他のファイルに関係付けて、他のファイルのデータに対してもかかるデータの入出力を行う関係を構成し、
関係付けられた他のファイル間でファイルに表示される項目のデータの入力をカメラによりデータ対象に付与されている識別コードを読取ることでデータの該当項目への入力を行うことを特徴とする。
【００２５】
本発明に係る履歴情報カラーコードの入力システムは、
履歴情報を含む履歴情報カラーコードに基づく履歴情報の関係付けが必要とされる対象物に識別コードを付して用いられる履歴情報カラーコードの入力システムであって、
識別コードを撮影しまたは読取る手段と、
撮影または読取の手段によって撮影されまたは読取られた識別コードに基づいて、識別コードに関係付けられた対象物に係る履歴情報の入力、変更、または追加を行う手段と、
を備えることを特徴とする。
【００２６】
本発明に係る履歴情報カラーコードの入力システムは、
履歴情報を含む履歴情報カラーコードに関連するファイルでありかつコンピュータの表示部に表示されるファイルに関連して用いられる履歴情報カラーコードの入力システムであって、
コンピュータの表示部に表示されるファイルの表示項目内の履歴情報に付与されている識別コードを撮影しまたは読取る手段と、
撮影または読取の手段によって撮影されまたは読み取られた識別コードに基づいて、コンピュータの表示部に表示されるファイルの表示項目内の履歴情報の入力、変更、または追加を行う手段と、
を備えることを特徴とする。
【００２７】
本発明に係る履歴情報カラーコードの入力システムは、
履歴情報を含む履歴情報カラーコードに関連するファイルでありかつコンピュータの表示部に表示されるファイルに関連して用いられる履歴情報カラーコードの入力システムであって、
コンピュータの表示部に表示されるファイルの履歴情報に付与されている識別コードを撮影しまたは読取る手段と、
ファイルに関係付けられた対象データの識別コードを読取る際に、識別コードが付与された対象データの対象そのもの、あるいは、読取る際における、読取りの時間、読取りの場所、読取りの始期、読取りの終期、読取りの始期から終期、読取りの回数、表示される項目、当該項目の表示内容、これらの事項と関係付けてファイルに入力表記する事項を、ファイルのデータ項目の入力事項として予め定める手段と、
撮影または読取の手段によって撮影されまたは読み取られた情報であってかつ上記の定められた関係に基づいた情報によって、ファイルに関係するデータを入力、変更、または追加の情報として入力とする手段と、
を備えることを特徴とする。
【００２８】
本発明に係る履歴情報カラーコードの入力システムは、
履歴情報を含む履歴情報カラーコードに関連するファイルでありかつコンピュータの表示部に表示されるファイルに関係付けられた事項の識別コードの読取りに基づいて構成されるファイルのデータベースを設けたシステムにおいて、
データベースのデータを他のファイルに関係付けて、他のファイルのデータに対してもかかるデータの入出力を行う関係を構成する手段と、
関係付けられた他のファイル間でファイルに表示される項目のデータの入力をカメラによりデータ対象に付与されている識別コードを読取ることでデータの該当項目への入力を行う手段と、
を備えることを特徴とする。
【００２９】
本発明による履歴情報カラーコードの入力方法または入力システムは、ファイル、データへの情報の入力および情報秘匿に適した技術分野に関する。換言すれば、履歴情報等の情報入力の簡便化をカラーコードを利用して図ること、入力情報の入力源へのフィードバック情報として同時性の便益化、カラーコードの特長を生かして一元的に情報の秘匿性を実現する技術分野である。
ファイル、データに関連付けられた被写体（識別物）に表示されるカラーコードを、固定カメラや携帯カメラ（ＰＨＳカメラを含む）等の撮影装置（または撮像素子）、２次元コードリーダー等によって撮影または読取ることでカラーコードと関連付けられているファイル、データの入力項目にデータ入力を行うことが可能となる。撮影等に際して、事前に、（１）撮影装置の位置、（２）被写体撮影の時刻、（３）撮影により入力するデータ項目および入力事項、などの情報はデータに関連付けられており、コンピュータへのデータ入力は対象のカラーコードの撮影等に基づきファイルが構成される。
【発明の効果】
【００３０】
本発明によれば、次の効果を奏する。
【００３１】
本発明に係る履歴情報カラーコードおよびその作成方法、復元方法、履歴情報管理の方法によれば、次の効果が発揮される。
（１）履歴情報カラーコード表を利用することにより履歴情報オブジェクトに係る膨大な量のデータを履歴情報カラーまたは履歴情報カラー数値で表現するようにしたため、インターネット伝送時の圧縮効果が高くなり、伝送する情報の密度を高密度化することができる。
（２）インターネットを伝送する履歴情報カラーまたは履歴情報カラー数値は、情報内容そのものとは切り離されているので、カラー暗号の形式で利用でき、盗聴等の情報漏洩を確実に防止することができる。
（３）インターネットを介してつながった状態にある第１と第２のコンピュータシステムの間で、履歴情報を情報共有することができ、識別対象に関して発生したトラブルについて、バーチャルミーティング等によって協議を行うことができる。
【００３２】
本発明に係る履歴情報カラーコードの入力方法および入力システムによれば、次の効果が発揮される。
（１）撮影等の対象に関連付けられたファイルと、撮影等という単純操作とに基づいて、入力や追記に基づくデータ作成を簡単に行うことができる。
（２）受発信装置を有する固定または携帯のカメラを使用することにより、撮影時点においてデータの実績把握が遅滞なく可能でデータの有効活用性は非常に大である。
（３）情報の入力の簡便化と情報の秘匿性を一元的に実現できる。
（４）煩瑣な情報入力をカメラ等の撮影等に基づいて自動化を実現することができ、同時にフイードバック情報を把握することができる。
（５）データの入力時の人為的な過誤や作為を解消できるのみならず、情報の時系列な変化をリアルに表示することができる。
（６）データの信頼性を高めることができる。
【図面の簡単な説明】
【００３３】
【図１】本発明に係る履歴情報カラーコードが適用される識別物の一例としての基板の生産工程を概略的に示す図である。
【図２】組立工程における組立ラインの例を示す説明図である。
【図３】基板生産工程における各工程に設置された端末の表示入力画面を示す図である。
【図４】基板生産工程における実装、外観検査、目視検査、修理の各工程で基板が移送されるときの生産履歴／進捗情報の流れを示す図である。
【図５】作業者である社員の入退室管理を行うための自動入力のシステム構成を示すブロック図である。
【図６】社員の在室時間を計測するタイミング図である。
【図７】基板の基板ＩＤカラーコードを読み取る構成を示すコンピュータシステムのシステム構成図である。
【図８】はんだ検査項目のカラーボード入力の一例を表形式で示す図である。
【図９】基板レコードの一例を工程ごとに表形式で示す図である。
【図１０】履歴情報カラーコード表の内容の具体例を示す図である。
【図１１】履歴情報カラーコード表の一例を示す図である。
【図１２】コンピュータシステム（１００）の内部構成の一例を示すブロック図である。
【図１３】第１および第２のコンピュータシステム（１００，２００）の各々の内部構成と相互の関係を示すブロック図である。
【図１４】基板レコードの具体的一例を示す図である。
【図１５】ラックレコードの一例を示す図である。
【図１６】検査修理レコードを示す図である。
【図１７】第１および第２のコンピュータシステム（１００，２００）または（４００，５００）の通信接続関係を示す図である。
【図１８】履歴情報カラーコードの他の実施形態である患者カルテ・レコード（履歴情報オブジェクト）を示す図である。
【図１９】患者カルテに関する履歴情報カラーコード表を示す図である。
【図２０】遠隔医療に関する第１および第２のコンピュータシステム（４００，５００）の各々の内部構成と相互の関係を示すブロック図である。
【図２１】基板と２次元の履歴情報カラーコードの取付け関係を示す図である。
【図２２】２次元の履歴情報カラーコードの分割状態を示す図である。
【図２３】固定カメラによる撮影状態と固定カメラに関連する装置構成を示す図である。
【図２４】携帯カメラによる撮影状態を示す斜視図である。
【図２５】携帯カメラに関連する装置構成を示す図である。
【発明を実施するための形態】
【００３４】
以下に、本発明の好適な実施形態（実施例）を添付図面に基づいて説明する。
【００３５】
本発明の実施形態では、履歴情報カラーコードが適用される識別物の一例として、基板の例を説明する。基板は、例えば実装基板またはプリント回路基板等である。なお識別物は基板に限定されない。
識別物である当該基板について１つ１つの基板に関連付けられた履歴情報カラーコードのデータ内容の新たな入力、変更、または追記のための方法およびシステムには、当該基板に付された状態で表示される履歴情報カラーコードを撮影（撮像）する固定カメラや携帯カメラ（ＰＨＳカメラを含む）等の撮影装置（または撮像素子）、あるいは当該履歴情報カラーコードを読み取る２次元コードリーダー等が用いられる。
この実施形態の以下の説明では入力方法として固定カメラまたは携帯カメラによる撮影の例で説明する。固定カメラまたは携帯カメラの撮影で得られたデータは有線方式または無線方式で関連するコンピュータ（端末）の受信部に送信され、ファイル（データ）として処理され、保存される。
図１は、基板の生産工程の一例を概略的に示し、併せて複数の基板の１枚ごとの生産に関する履歴情報の管理の例を示している。複数の基板１１は単位枚数ごと（ロット単位）にマガジンラック３１の中に収容されている。識別物である当該基板１１、およびマガジンラック３１のいずれにも、固有の識別番号（ＩＤ）あるいは基板ＩＤが所定の位置に付与されている。
基板の生産履歴情報の管理において本実施形態に係る履歴情報カラーコードが用いられ、さらに履歴情報カラーコード利用した生産履歴情報の管理の際に固定カメラまたは携帯カメラを利用した履歴情報の入力の方法およびシステムが実現される。
【００３６】
図１において、生産工程１０では、多数の基板１１がその生産ラインに供給される。多数の基板１１は、最初の段階では所定枚数ごとにマガジンラック３１に収容された状態で生産工程１０に搬入される。その後、１枚ごとの基板１１が取り出されて生産工程１０に供給される。各マガジンラック３１にはラックＩＤカラーコード３１ａが付されており、また各基板１１には基板ＩＤカラーコード１１ａが付されている。
図１に示した生産工程１０では、図示されるように所要の位置にカメラ２１が配置され、全体として多数のカメラ２１が配置されている。多数の当該カメラ２１は固定カメラでも携帯カメラでもよく、場所に応じてまたは条件に応じて固定カメラと携帯カメラのうちいずれかが用いられる。以下の説明では総称してカメラ２１と記す。生産工程１０の実装工程１０Ａの前の段階では、対応するカメラ２１によって、マガジンラック３１のラックＩＤカラーコード３１ａ、および基板１１の基板ＩＤカラーコード１１ａが撮影される。
生産工程１０では、その生産ラインに投入された多数の基板の各々は、工程の順序に従って、必要な半導体チップや電子部品等を、装置による自動作業または手作業によって、順次に搭載し、実装し、組立て、こうして基板製品を完成する。
生産工程１０は、一般的に、実装工程（機械による実装）１０Ａと組立工程（手作業による実装）１０Ｃ、外観検査工程１０Ｂ、目視検査工程１０Ｄ、修理工程１０Ｅ、出荷工程１０Ｆから構成されている。各工程間はマガジンラック３１の単位で搬送される。各工程間のマガジンラック３１の搬送情報は、ラックＩＤカラーコード３１ａを、対応するカメラ２１で撮影することにより取得される。
【００３７】
ここで、図２３〜図２５を参照して、カメラによる撮影および撮影データの処理に関連する装置構成を説明する。
図２３は固定カメラ２１Ａの構成を示す。固定カメラ２１Ａは、例えば基板１１の表面の片隅に付された基板ＩＤカラーコード１１ａを撮影する。固定カメラ２１Ａは、コンピュータ１０１と、例えば信号ライン１０２を介して接続されている。コンピュータ１０１は、ＣＰＵ１１１、ハードディスク１１２、画像メモリ１１３、表示装置１１４、入力装置１１５を備える。ハードディスク１１２は読取処理プログラム１１２ａとデータ１１２ｂを保存している。固定カメラ２１Ａの撮影動作は、コンピュータ１０１の読取処理プログラムの機能で制御される。固定カメラ２１Ａによる撮影で得られた画像データはコンピュータ１０１のメモリ（画像メモリ）１１３に保存される。
図２４は携帯カメラ２１Ｂによる撮影状態を示し、図２５は携帯カメラ２１Ｂの構成を示す。携帯カメラ２１Ｂは例えば携帯電話２１０に装備されたカメラである。携帯カメラ２１Ｂはファインダとしての表示部２０１を備えている。作業者が、携帯カメラ２１Ｂによって、例えば基板１１に付された基板ＩＤカラーコード１１ａを撮影する。図２５に示すように、携帯カメラ２１Ｂは携帯電話２１０に装備され、さらに携帯電話２１０は、演算処理部２１１、ＲＯＭ２１２ａとＲＡＭ２１２ｂを含むメモリ２１２、通信部２１３、入力操作部２１４、および上記の表示部２０１を備える。携帯カメラ２１Ｂによる撮影は作業者の意思に基づいて行われる。携帯カメラ２１Ｂで撮影された画像データは、メモリ２１２のＲＡＭ２１２ｂに保存され、必要に応じて通信部２１３により無線方式で送信される。
【００３８】
再び、図１に戻って生産工程１０の各工程を詳述する。
実装工程１０Ａによって、生産工程１０に投入された基板１１にマウンターによる実装を施す。また組立工程１０Ｃは、一般的に作業者が多種の部品を取り付ける組立て工程であり、貼り合せ、ねじ止め、加熱接合などの工程の内容に従って多様である。
図２に、組立工程１０Ｃにおける組立ラインの例を示す。図２で、１０−１は組立ライン、２２は組立ライン１０−１に沿って配置され組立作業を行う作業者、２１は各作業者２２の近傍に配置されるカメラである。組立ライン１０−１については、作業者２２の人数とカメラ２１の台数に応じて三通りのパターンが描かれている。
【００３９】
実装工程１０Ａ〜１０Ｆの各々のラインでは、予め決められた作業が作業者（または操作者）２２等によって実行され、それにより各工程１０Ａ〜１０Ｆにおけるラインごとの複数のデータが発生し、さらに各工程の品質を定める複数の工程品質項目が規定されている。
これらの工程１０Ａ〜１０Ｆの各工程ごとのデータとは、例えば次の通りである。
【００４０】
（１）実装工程（機械）１０Ａ
実装工程１０Ａは、一般的に基板の工程順に機械装置が配置されたラインであり、コンピュータで制御されている。生産履歴の情報として、基板ＩＤ、機種名、生産ライン番号/工程名、作業者名、ラック番号、生産数量、その他である。
ファイルとしてコンピュータにデータが記録されている部分と、当該ファイルに関係付けられているカメラの撮影データが当該ファイルに入力データとしてレコードに追記／記録される。予め関連付けられたデータとして撮影データをレコードへの入力として取り込み、データを構成する（レコードの「ｘｘｘ」の入力部）。カメラは必要な情報単位で工程の予め適宜に定められた撮影位置に設けられている。カメラで撮影し取得するデータは、スタート時の「カラーコード」であり、カラーコードと「カメラ位置／基板ＩＤ」に相当したファイルのデータ入力項目である工程番号を選定し、「撮影時刻」でレコードの項目の開始時刻、終了時刻、開始から終了までに経過時間のあるものは工程の所要時間、工程終了の数量等、として計算される。カメラの位置情報と当該カメラによる入力情報の他に新たな情報としてカラーコードの撮影また情報の手入力も可能である。これらは予め入力情報として関係付けられているレコードにカウントされ、データとしてレコードの記録を形成する。
上記の構成上、生産ラインのデータと、ファイルに関係付けられたカメラ撮影によるデータとに基づいてファイルを構成する。カメラ２１でラックＩＤカラーコード（識別番号）３１ａ、基板ＩＤカラーコード（識別番号）１１ａが撮影され、関連付けられたファイルに撮影の事実がデータとして反映される。
図３の各工程１０Ａ，１０Ｂ，１０Ｄ，１０Ｅに示した表示入力画面のレコードの「ＸＸＸ」のマークで示された箇所以外の記載は事前にデータとしてファイルに記録されており、入力されるデータ項目以外の他の項目はレコードに事前に記録されている。
上記のようにカメラ２１に関係付けられたファイルのデータが撮影に基づいて入力され変更される。なおファイルにおける記録内容と入力内容は、作業者名を始め固定したものではなく手入力また撮影（新たなカラーコードなどで）で適宜変更できる構成である。また、撮影画像をファイルにリンクしてデータとする例の他は、工程のカメラ２１に代えて他のセンサ等（読取り手段）で入力を構成してもよい。
【００４１】
（２）外観検査工程１０Ｂ
生産履歴の情報として、データのカメラ撮影に基づいた入力、予め整備されている項目等の構成は同様である。カメラ２１は、工程上、ファイルのレコード入力に必要な情報単位で設けられ、事前の記録、撮影による入力の区分は随意である。カメラ２１で撮影された画像はデータとしてファイルにリンクされており、手書きを要する不良内容は内容事項を表示するカラー表示板を撮影する構成であり、また一般的な手入力は随意である。
検査工程において検査装置で発見された項目は検査データとして装置側で統計されるが、該検査データは検査対象のＩＤに対応付けられたファイルに関係付けられており、これに基づきデータ入力で不良内容に対応した使用装置、部品名、注意項目、担当オペレータ等の必要事項を表記する構成である。これによってフードバック資料の早期取得と工程へのリアルな対応が可能で、不具合の低減に直結する。
【００４２】
（３）組立工程（手作業）１０Ｃ
組立工程１０Ｃは、生産工程１０に投入された基板１１のマウンターによる実装後において作業者が作業を施す工程である。複数のカメラ２１の位置情報で工程の内容に関係付けられたファイルの該当部分として、撮影によりデータが入力される。この関係は上記と同様である。
かかるカメラ２１が工程１０Ｃに複数個設けられ、各カメラ２１は工程全体および前後、位置などとの関係からその各位置情報で撮影場所が特定され、それに基づき関係付けられたファイルにおいて当該位置の工程内容が特定される。組立工程１０Ｃで使用されるカメラ２１は携帯カメラであり、従って組立工程１０Ｃにおける複数のカメラ２１の台数は組立ラインに配置された作業者の人数と同数である。
カメラ２１の配置位置の情報に従って、カメラ２１の設けられた位置では、その順位位置で、
（イ）工程の進行度合いを計り、
（ロ）撮影回数で工程の完成数を計り、
（ハ）工程間の進行、仕掛状況を計り、
（ニ）工程の配置部材と使用個数で消費量を計り、
（ホ）進行状況での補給量の必要量を計り、
（ヘ）工程間のバランスを表示し、
（ト）生産計画とのアンマッチ（不一致）を表示し、
（チ）作業者、装置、工具を表示し、
（リ）基板のカラーコード、基板ＩＤに基づいて生産開始から出荷後まで工程が変更されると、その内容が同一カラーコードで履歴情報として取得される、
ように構成される。
以上のように、カメラ２１の位置情報に基づいて計り、表示事項をレコードに入力し、該当のファイルを構成する。
またカメラ２１の撮影画像はファイルのデータ内容に関係付けられており、かかる関係付けのカメラ２１の位置情報で工程の作業内容を表示する画像をファイルにリンクする。これにより、その時点での工程進捗状況、品質の不具合をリアルに表示することが可能となる。工程の経過と工数は入力時刻から計算される構成であり、個数は開始から終了の回数でカウントされる。カメラ２１の撮影で取得されたデータは、当然のことながら、生産管理、資材管理、経営管理等に利用される。
【００４３】
（４）目視検査工程１０Ｄ
目視検査工程１０Ｄは、基板１１のこれまでの工程を目視で検査する工程であり、目視の管理位置でカメラ２１を設けている。
【００４４】
（５）修理工程１０Ｅ
修理工程１０Ｅは、各工程の不具合品を修理する工程である。修理の管理位置でカメラ２１を設けている。
【００４５】
（６）出荷工程１０Ｆ
出荷工程１０Ｆは出荷検査が行なわれ、基板１１が製品として出荷される工程である。上記と同様に複数のカメラ２１を設けている。出荷品はケース、梱包されるものは梱包単位でカラーコードが貼付されており、上記と同様にカラーコード管理されている構成である。
【００４６】
図１に示した生産工程１０の端末１２Ａ〜１２Ｆは、各工程１０Ａ〜１０Ｆにおいてデータ取得に必要なカメラ２１に関係付けられたコンピュータ（ＰＣ等）である。端末１２Ａ〜１２Ｆは、それぞれ、各カメラ２１での撮影で得られた入力画像を取り込む例えば受信機１２Ａ−１〜１２Ｆ−１を備えている。端末１２Ａ〜１２Ｆの各々では、各工程において対応するカメラ２１の入力画像を工程のデータとして取得する処理を行う。これらの端末１２Ａ〜１２Ｆは、コンピュータシステムとして、入力装置、表示装置、その他の出力装置（プリンタ等）を備えている。さらには端末１２Ａ〜１２Ｆのそれぞれはサーバー１３に接続されている。端末１２Ａ〜１２Ｆは、入力装置による入力機能、表示装置による表示機能、出力装置による出力機能を有している。特に、端末１２Ａ〜１２Ｆの表示装置の表示画面では、所定のデータを入力（インプット）するための画面と、蓄積されたデータを表示するための画面を、作業者の選択操作に基づいて切り替えて提示することができる。
【００４７】
図３において、図１で例示した生産工程１０の工程１０Ａ〜１０Ｆのうちいくつかの工程（１０Ａ，１０Ｂ，１０Ｄ，１０Ｅ）を取り上げて例示し、その工程に対応する端末１２Ａ，１２Ｂ，１２Ｄ，１２Ｅのコンピュータの表示入力画面の関係を説明する。なお端末１２Ａ，１２Ｂのコンピュータ画面は表示のためだけの画面であってもよい。
前述した実装工程１０Ａ、外観検査工程１０Ｂ、目視検査工程１０Ｄ、修理工程１０Ｅにおいて、端末１２Ａ，１２Ｂ，１２Ｄ，１２Ｅを用いて工程データを表示／入力（インプット）する例を示している。これらの各工程１０Ａ，１０Ｂ，１０Ｄ，１０Ｅに対して端末１２Ａ，１２Ｂ，１２Ｄ，１２Ｅの表示入力画面１２Ａ−２，１２Ｂ−２，１２Ｄ−２，１２Ｅ−２がテーブル形式で示されている。表示入力画面１２Ａ−２，１２Ｂ−２，１２Ｄ−２，１２Ｅ−２は、各工程に設置された端末１２Ａ〜１２Ｅにおける表示装置の画面である。表示入力画面１２Ａ−２，１２Ｂ−２，１２Ｄ−２，１２Ｅ−２において、「×××」の記載項目がカメラ２１による撮影に基づいて入力されるデータを表し、「×××」以外は事前に記録され表示されたデータである。これらの表示入力画面１２Ａ−２，１２Ｂ−２，１２Ｄ−２，１２Ｅ−２によれば、基板ＩＤ、機種名、工程（面）、生産ライン、作業時間、作業者名、ラック番号、数量、リンクボタン等の欄が設けられている。「リンクボタン」は基板ＩＤカラーコードに係る基板画像をリンクしており、関連付け画像表示を行う操作手段である。各々の欄には所要の事項が表示されており、コンピュータに事前に登録されている事項である。作業者はデータ、レコードの工程の進捗者であるが、かかるデータ作成に直接関与することなくデータは作成され、自己の作業をデータとしてリアルに確認できる。各工程に対応する表示入力画面１２Ａ−２，１２Ｂ−２，１２Ｄ−２，１２Ｅ−２の各々は、基板の生産工程１０における生産履歴／進捗に係る情報を提示している。
【００４８】
上述の図４では、一例として、（１）実装、（２）外観検査、（３）目視検査、（４）修理の各工程を基板１１が移送されるとき、その生産履歴／進捗情報の流れを示している。図１に示した組立工程１０Ｃと出荷工程１０Ｆは省略している。マガジンラック３１の中に収容された複数の基板１１は、（１）実装、（２）外観検査、（３）目視検査、（４）修理の順序にて、各工程で前述した所定の処理が施される。（１）実装、（２）外観検査、（３）目視検査、（４）修理の順序で工程が移っていくと、それに応じて各工程の端末１２Ａ，１２Ｂ，１２Ｄ，１２Ｅで情報が入力され、かつ入力された情報はサーバー１３の記憶装置（メモリ）に保存・格納され、共通の生産履歴／進捗情報として共有され、各端末１２Ａ〜１２Ｅでサーバー１３にアクセスして情報を得ることができる。サーバー１３に格納された、基板１１の生産工程１０に関する生産履歴／進捗情報は、共通情報として共有されかつ自由に用いられ、例えば管理者３２側に設けられた端末３３で確認することができる。
【００４９】
上記の表示入力画面に示されたライン名、設備名、機種名、作業者名、作業日、作業時間、ラック番号等は、生産管理に関わる管理項目のデータと呼ばれる。ライン名と設備名は、ライン構築時の設定入力により既定データとすることができる。機種名は、ロット投入時に入力される。作業者名は、社員の入退室時に、社員証カードのカラーコードをカメラ２１で撮影することにより入力され、自動入力される。この自動入力を行うためのシステム構成を図５に示す。
図５において、社員が所持するカード４１には社員の顔写真４１ａが付され、かつ社員証ＩＤカラーコード４１ｂが付されている。社員証ＩＤカラーコード４１ｂは、端末（ＰＣ）４２に装備されたカメラ２１で撮影されることにより読み取られる。端末４２は、必要に応じてサーバー１３に対して社員証ＩＤカラーコードを要求し、社員情報カラーコード表４３を有するサーバー１３から個人情報オブジェクト４５をダウンロードする。そして端末４２は自身の有する履歴情報カラーコード表４４を更新する。
なお、図５に示した社員の入退室の管理において、図６に示すように、当該社員の作業時間も自動的に取得される。すなわち、ゲートにおける入出時刻ｔ１（例えば9:00）と退室時刻ｔ２（例えば18:00）を得ることにより、作業時間がＯＮ時間（在室フラグ４６）としてコンピュータシステム１００において管理することが可能となる。
工数集計は、作業者の作業時間の集計から得られる。作業日は、端末（ＰＣ）４２に内蔵されるタイマにより自動採取ができ、既定データとすることができる。
各マガジンラック３１のラック番号は、マガジンラック３１の各工程での受入時に、ラックＩＤカラーコード３１ａをカメラ２１で撮影することにより入力される。
【００５０】
基板ＩＤ、基板数量、自動検査結果、目視検査結果、修理結果等は、基板の生産に関わる生産履歴項目のデータと呼ばれる。各工程を通過する基板１１の基板ＩＤは、基板１１の各工程搬入時に、基板ＩＤカラーコード１１ａをカメラ２１で撮影し入力して基板１１の現品認識を行い、自動入力される。この自動入力を行うためのシステム構成を図７に示す。
図７において、端末（ＰＣ）１２は、生産工程１０において実装、外観検査、組立、目視検査、修理、出荷の各工程に対応して設置されたいずれかの端末である。端末１２は、対応する工程に移送されてきた基板１１に関し、カメラ２１で撮影することにより基板ＩＤカラーコード１１ａを読取り、予め用意されている履歴情報カラーコード表４４の内容を読取り内容で更新する。次に端末１２は、サーバー１３に対して、更新した履歴情報カラーコード表をアップロードする。サーバー１３に備えられた履歴情報カラーコード表４４を更新する。
上記のタイミングで、基板数量がカウントアップ（自動カウント）される。外観検査結果は、外観検査機が自動検査結果を出力する。手作業で行う目視検査は、目視検査結果を手入力する。手作業で行う修理は、修理結果を手入力する。これら手入力は、例えば図８
に示されるタッチパネル式データ入力（項目カラーボード入力）４７により所要のデータの入力を行うことができる。このタッチパネル式データ入力４７は、目視検査や修理等におけるハンダ検査項目カラーボード入力であり、指定ボタンの項目４７Ａ、不良分類の項目４７Ｂ、カラーの項目４７Ｃを備えている。
【００５１】
前述した図３の表示入力画面に示されるように、実装工程１０Ａの表示入力画面１２Ａ−２では生産履歴が入力されると共に、基板の数量と１ラックの所定枚数の生産が完了後に数量欄に自動カウントされた数量が入力され表示される。数量が二重にカウントされることはない。外観検査工程１０Ｂの表示入力画面１２Ｂ−２では、外観検査結果の履歴が自動出力され表示される。「リンクボタン」で表示したい検査時の目視検査工程１０Ｄの表示入力画面１２Ｄ−２では、目視検査結果（履歴）カラー表示板を撮影または手入力する。修理工程工程１０Ｅの表示入力画面１２Ｅ−２では、修理の結果（履歴）に関して、カラー表示板を撮影入力または手入力する。この手入力部分は、項目別カラーコード板のカラーコードの選択的な表示を撮影することで、同じくカメラ入力を可能にする。図８に示したタッチパネル式データ入力（項目カラーボード入力）４７により所要のデータの入力を行うことができる。
カラーと不良内容を対応付けて不良分類オブジェクト（検査項目オブジェクト）としてカラーに対応付けたカラーボード板を構成し、指定ボタンの押下やタッチパネルで不良分類を指定すると、不良分類オブジェクト（検査項目オブジェクト）に対応するカラーの指定がなされ、後述されるような要素オブジェクトから要素カラーへの変換ができる仕組みとなっている。
【００５２】
以上のようにして、各工程では、管理項目と生産履歴項目の各データが、履歴情報として自動採取され、オペレータの入力作業は不要となり、基板１１は自動的に処理されてそれぞれの工程を通過していく。他方、目視検査工程１０Ｄと修理工程１０Ｅは、基板１１の目視検査の手作業および修理の手作業を行うことにより手入力を行う。
【００５３】
図４に示すように例えば決められた工程順序で工程が移っていくと、各工程１０Ａ，１０Ｂ，１０Ｄ，１０Ｅの端末１２Ａ，１２Ｂ，１２Ｄ，１２Ｅの各々に対応してつながっているカメラ２１は、各工程の基板１１に貼り付けられた基板ＩＤカラーコード１１ａを撮影して基板ＩＤを認識する。撮影取得した基板ＩＤは、当該工程に到着した基板１１の現品受入情報として端末に自動入力され、各工程を移動する基板１１がトラックされる。それに応じて各工程１０Ａ〜１０Ｆの端末１２Ａ〜１２Ｆで情報がファイルに入力されかつ表示され、さらに入力／表示された情報はサーバー１３の記憶装置に保存・格納され、共通の生産履歴／進捗情報として共有され、各端末１２Ａ〜１２Ｆでサーバー１３にアクセスして情報を得ることができる。サーバー１３の記憶装置に格納された、基板１１の生産工程１０に関する生産履歴情報および進捗情報は、共通情報として共有され、かつ自由に用いられ、例えば管理フロアー３２の複数の端末３３で確認することができる。
【００５４】
前述した基板１１の生産工程１０で、カメラ２１による撮影で基板ＩＤとして入力される履歴情報カラーコード、および履歴情報カラーコード表について、図９、図１０、および図１１を参照して説明する。
【００５５】
生産工程１０において基板１１は、それぞれ、生産管理上のデータとして、１つの識別符号（ＩＤ）が付与された１つの識別物として取り扱われる。本実施形態の場合、この識別符号ＩＤは「実装基板識別番号」（または「基板ＩＤ」）である。識別符号ＩＤで特定される１つの基板１１には、サーバー１３におけるコンピュータ管理上の記憶実体（履歴情報に関するコンピュータオブジェクト）として、複数の履歴情報オブジェクト（ＯＨ）が定義される。ここで複数の履歴情報オブジェクトＯＨは、前述した通りの工程ごとの複数のデータに対応するものである。複数の履歴情報オブジェクト（ＯＨ）のそれぞれは、複数の工程履歴情報項目のリスト（順列）に基づいて構成される履歴情報レコードのオブジェクトグループを形成する。
【００５６】
図１と図３等に基づいて説明したように、生産工程１０で、各基板１１に関して各工程（例示の実装工程→外観検査工程→組立工程→目視検査工程→修理工程）の処理等を経過すると、基板１１ごとに複数のデータが、実装工程→外観検査工程→組立工程→目視検査工程→修理工程、すなわち履歴情報が順次追加的に発生する。基板１１ごとに対応する履歴情報オブジェクトＯＨでは、前述した所定の工程履歴情報項目のデータ（実装工程のデータ→外観検査工程のデータ→組立工程のデータ→目視検査工程のデータ→修理工程のデータ）が、時系列的データとして追加的に加わる。すなわち、多数の基板１１ごとに、生産工程を経過していくと、その履歴情報オブジェクト（ＯＨ）に、処理順序または入力順序に従って時系列的な一連の複数の工程履歴情報が追加／累積（アドオン）される。
【００５７】
１枚の基板がラインの全工程の処理を完了すると、生産レコード（実装工程に対応）、検査レコード（検査工程に対応）、組立レコード（組立工程に対応）、目視レコード（目視工程に対応）、修理レコード（修理工程に対応）から構成される１件の基板レコードの生成が完結して記録される。図９は、基板レコード（履歴情報オブジェクト）の一例を表形式で示している。各レコードは「データ項目」と「データ」を備えている。
【００５８】
そしてその都度、複数の上記の基板レコード、すなわち複数の履歴情報オブジェクト（ＯＨ）のそれぞれに、履歴情報カラー（ＣＨ）と履歴情報カラー数値（ＮＨ）を割り当てて、ＣＨ−ＮＨ−ＯＨレコードが生成される。ＣＨ−ＮＨ−ＯＨレコードの累積は、図１０と図１１に示すような履歴情報カラーコード表を構成する。図１０の履歴情報カラーコード表は、複数の基板１１（基板ＩＤが１からｉ）のＣＨ−ＮＨ−ＯＨレコードの累積を基板ＩＤカラーコードおよび基板ＩＤと関係づけてテーブル形式で示したものであり、図１１の履歴情報カラーコード表は、１ロット分の複数の基板処理件数（ｉ＝１〜Ｌ）についての履歴情報カラーコード表である。図１０に示した履歴情報カラーコード表において、その中に記載された表記に関してＣh＝ＣＨ、Ｎh＝ＮＨ、Ｏh＝ＯＨの関係を満たしている。
【００５９】
上記の「ＣＨ−ＮＨ−ＯＨレコード」のデータ構造は、数式的な関係で表現すると、次の通りである。
【００６０】
ＯＨ（ＩＤ；Ｏ１Ｏ２Ｏ３…Ｏｎ）＋Ｏｎ＋１→ＯＨ（ＩＤ；Ｏ１Ｏ２Ｏ３…ＯｎＯｎ＋１）  （１）
ＣＨ−ＮＨ−ＯＨ（ＩＤ；Ｏ１Ｏ２Ｏ３…Ｏｎ…ＯＭ）  （２）
ここに、
ＩＤ：基板ＩＤ
ＯＨ（ＩＤ；Ｏ１Ｏ２Ｏ３…Ｏｎ…ＯＭ）：基板レコード
ＯＨ：履歴情報オブジェクト
ＣＨ：履歴情報カラー（または基板ＩＤカラー）
ＮＨ：履歴情報カラー数値
Ｏｎ：工程履歴データ
ｎ＝１，２，…，Ｍ：時系列順位（処理順、入力順）
【００６１】
上記の上段の式（１）は、工程処理プロセスの履歴情報の発生と累積の状態を記述する式である。すなわち、基板ＩＤの基板が、ラインの各工程の処理を通過する過程で、履歴情報オブジェクト（ＯＨ）に工程履歴データ（Ｏｎ）が逐次追加／累積（アドオン）される。
上記の下段の式（２）は、工程処理プロセス完了時のＣＨ−ＮＨ−ＯＨレコードが生成を記述する式である。すなわち、全工程の処理を完了すると、履歴情報オブジェクト（ＯＨ）の生成が完結して、基板レコードが得られ、履歴情報カラー（ＣＨ）と履歴情報カラー数値（ＮＨ）が割り当てられて、ＣＨ−ＮＨ−ＯＨレコードが生成される。
【００６２】
上記のごとくして生成されたＣＨ−ＮＨ−ＯＨレコードは、サーバー１３の記憶装置（データベース等）に、履歴情報として蓄積され、記録／管理される。こうして、本実施形態に係る履歴情報カラーコード表が作成される。
【００６３】
基板の生産工程１０の各工程での処理プロセスにおいて多数の基板１１が順次に処理され、その結果、多数の基板１１の各々に関してその履歴情報レコードがＣＨ−ＮＨ−ＯＨレコードの形式でサーバー１３の記憶装置（データベース等）に蓄積される。
すなわち、ラインとの対応関係で云えば、マガジンラック３１に収納された２０〜３０枚の基板１１は、１枚ずつ、逐次、各工程の処理を経て完成品の基板１１となって梱包されると共に、基板レコード、すなわち、履歴情報オブジェクト（ＯＨ）が、１件ずつ追加／累積（アドオン）されることになる。
このようにして蓄積されたＣＨ−ＮＨ−ＯＨレコードに基づいて、図１１に示すような履歴情報カラーコード表（ＴＨ）を生成することができる。図１１において、ｉ（＝１，２，…，Ｌ）は基板の処理件数（基板レコード件数）を意味している。図１１に示された履歴情報カラーコード表（ＴＨ）は１ロット分の基板の履歴情報を示している。
【００６４】
ここで、履歴情報カラー（ＣＨ）は、履歴情報オブジェクトに対応する代表カラーである。また履歴情報カラー数値（ＮＨ）は、履歴情報オブジェクトに対応する代表値である。上記の割り当ての仕方は、任意に決定することができる。より少ない情報量で表現するのでデータ圧縮効果がある。
【００６５】
図７で説明した通り、コンピュータシステム１００で、端末（ＰＣ）１２は、対応する工程に移送されてきた基板１１に関して基板ＩＤカラー（基板のカラーコード）をカメラ２１で読取る。次に端末１２は、当該基板ＩＤカラーの読取り情報に基づいて、基板ＩＤカラーの履歴情報で、基板ＩＤカラーに対応する履歴情報オブジェクト４４を更新する。端末１２は、対応する各工程に応じて、基板１１の履歴情報オブジェクト（ＯＨ）に工程履歴データ（Ｏｎ）を追加／累積（アドオン）する。
基板１１がラインの全工程の処理を完了すると、生産レコード、検査レコード、組立レコード、目視レコード、修理レコードから構成される１件の基板レコードの生成が完結して記録される（図９）。１ロット分の当該機種基板の全数の処理が全て完了して、履歴情報カラーコード表（図１０、図１１）が完結すると、図７に示した通り、端末１２からサーバー１３に対して履歴情報カラーコード表４４がアップロードされて、サーバー１３で保管される。
【００６６】
その後、基板１１に不良発生のトラブルが生じた場合には、図１２に示すように、次のように扱われる。
端末１２は、何か問題が起きた少なくとも１つの基板１１に関して基板ＩＤカラー（基板のカラーコード）をカメラ２１で読取る。次に端末１２は、サーバー１３に対して、当該基板ＩＤカラーの読取り情報に基づいて基板ＩＤカラーに対応する履歴情報オブジェクトを要求する。サーバー１３は、端末１２から当該要求を受けると、履歴情報カラーコード表ＴＨから履歴情報オブジェクト（ＯＨ）を取り出し、端末１２に提供する。これによって、当該基板ＩＤの履歴情報を見ながら迅速かつ確実にトラブルに対処することができる。過去に生産した機種基板の不良が見つかるという緊急時に、当該機種の当該基板の生産履歴データを探し回って時間を空費するようなことがなく、即時的対処が可能となる。
【００６７】
次に図１３を参照して履歴情報オブジェクトＯＨの情報共有の構成例を説明する。図１３では、左側にコンピュータシステム１００の構成が示され、右側にコンピュータシステム２００の構成が示されている。コンピュータシステム１００は、例えば図１２で説明した構成と同じであり、同一の要素には同一の符号を付している。コンピュータシステム２００は、コンピュータシステム１００の設置場所に対して遠隔に位置する場所に設置されている。例えば、コンピュータシステム１００は企業の本社に設置されており、コンピュータシステム２００は企業の工場に設置されている。コンピュータシステム２００の構成は、基本的にコンピュータシステム１００と同じであり、端末（ＰＣ）２１２とサーバー２１３とを備えている。またコンピュータシステム２００のサーバー２１３側には履歴情報カラーコード表（ＴＨ）４４が備えられている。コンピュータシステム２００側の履歴情報カラーコード表（ＴＨ）４４はコンピュータシステム１００側から郵送等で送られてきたものであり、コンピュータシステム１００側で作成されたものと同じである。こうして、遠隔値に存在する２つのコンピュータシステム１００，２００で同じ履歴情報カラーコード表ＴＨが備えられ、これによりコンピュータシステム１００，２００の間で履歴情報オブジェクトＯＨの情報共有が行われる。
【００６８】
図１３において、「読取」は基板ＩＤカラーコード１１ａのカメラ２１による読取りを意味し、「要求」は基板ＩＤカラーコードに基づく要求を意味し、「ダウンロード」は履歴情報オブジェクトのダウンロードを意味している。
【００６９】
図１３の構成によれば、履歴情報カラー（ＣＨ）または履歴情報カラー数値（ＮＨ）を発信側のコンピュータシステム１００の端末（ＰＣ）１２から受信側のコンピュータシステム２００の端末（ＰＣ）２１２に送信し、コンピュータシステム２００で、パソコン２１２とサーバー２１３に基づき、別途に配送された履歴情報カラーコード表（ＴＨ）に基づいて、履歴情報カラー（ＣＨ）または履歴情報カラー数値（ＮＨ）を工程に係る履歴情報オブジェクト（Ｏｎ）に逆変換するように使用することができる。
【００７０】
図１４〜図１６に、基板の生産履歴管理に関する上記履歴カラーコードの具体的内容の一例を示す。図１３は基板レコードを示す。この基板レコードでは、１０個の基板の生産履歴が示されている。図１５はラックレコードを示している。図１６は検査修理レコードを示している。この図表は、カメラで撮影した画像入力に基づいたファイルの利用の一例であり、多種の例が可能である。例えば入退社用のタイムカード、あるいは同様に資材、生産、日程管理情報として利用する。
【００７１】
上記の履歴情報カラーコードあるいは履歴情報カラーコード表の作成は、端末１２Ａ〜１２Ｆとサーバー１３とから成る第１のコンピュータシステム１００（図１、図７、図１２、図１３等に示す）で実施される。図１３に基づいて説明され、かつ図１７に他の表現形式で示されるように、第１のコンピュータシステム１００で作成された履歴情報カラーコード表（ＴＨ）は、第２のコンピュータシステム２００において共有される。すなわち第１および第２のコンピュータシステム１００，２００の両方において、基板の生産工程１０に関して得られた履歴情報オブジェクトＯＨを共有する。このような履歴情報オブジェクトＯＨの共有によって、インターネット３００等の通信回線で接続された２つのコンピュータシステム１００，２００で、カラーコードを利用して暗号的な情報の送受信を行うことが可能となる。かかる履歴情報オブジェクトＯＨの共有は、第１のコンピュータシステム１００の側において履歴情報カラーコード表（ＴＨ）を記録する記録媒体を用意し、当該記録媒体を第１のコンピュータシステム１００の側から第２のコンピュータシステム２００の側へ郵送等で配送することにより行われる。この結果、図１３を参照して説明した通り、第１と第２のコンピュータシステム１００，２００のそれぞれで同一の履歴情報カラーコード表（ＴＨ）を保有することになる。
【００７２】
図１３および図１７に示した関係は、第１および第２のコンピュータシステム１００，２００が同一の履歴情報カラーコード表（ＴＨ）を保有するということに関する事前の処理モードを示している。その後にトラブルが生じた場合には、次のように扱われる。生産工程１０において、何か問題が起きた少なくとも１つの基板１１に関して、当該基板１１の基板ＩＤカラー（基板のカラーコード）をカメラ２１で読取り、要求信号（ＲＥ）として、当該基板１１の基板ＩＤカラー（履歴情報カラーＣＨ）を、第１のコンピュータシステム１００から第２のコンピュータシステム２００にインターネット経由で送信する。このとき、履歴情報カラーＣＨは、情報内容そのものとは切り離されている。このため盗聴される心配はない。他方、第２のコンピュータシステム２００の側では、その記憶装置に履歴情報カラーコード表（ＴＨ）が用意されている。その履歴情報カラーコード表（ＴＨ）を用いて逆変換処理を行って、当該履歴情報カラーＣＨから履歴情報オブジェクトＯＨを得ることができる。これによって、第１および第２のコンピュータシステム１００，２００の間で、問題が起きた基板１１に関する履歴情報オブジェクトＯＨの情報を共有できる。このため、さらに、第１および第２のコンピュータシステム１００，２００の双方で共に同一の履歴情報を見ながら、電話やＥメール等でコミュニケーションをとって迅速かつ確実にトラブルに対処することができる。
過去に生産した機種基板の不良が見つかるという緊急時に、２つ以上の複数の遠隔サイト間で、当該機種の当該基板の生産履歴データを探し回ってサイト間遣り取りをして時間を空費するようなことがなく、即時的対処が可能となる。ここで、「基板ＩＤカラー」とは、基板のカラーコードと履歴情報カラーＣＨの２つカラーを包括する表現であり、図面上での表現を簡略化する。
前述した図１０は、基板ＩＤカラーの基板のカラーコードと履歴情報カラーＣＨの対応関係を示した表である。
【００７３】
＜数式的な関係表現＞
伝送：[ＣＳ１００]→ＣＨ→[ＣＳ２００]
逆変換：ＣＨ→ＯＨ（ＩＤ；Ｏ１Ｏ２Ｏ３…ＯＭ）（ＣＳ２００において）
ここに、
[ＣＳ１００]，[ＣＳ２００]：コンピュータシステム１００，２００
【００７４】
上記において、第１のコンピュータシステム１００から第２のコンピュータシステム２００への履歴情報カラーＣＨの送信は、例えば、メールの主文に対して何か特定の色を付するでもよい。いずれにせよ、履歴情報カラーコード表（ＴＨ）で決められた任意のカラーが送られる。
【００７５】
また第１のコンピュータ１００の側で履歴情報カラーコード表（ＴＨ）を記録する記録媒体を用意し、当該記録媒体は第１のコンピュータ１００の側から第２のコンピュータ２００の側へ配送され、第１のコンピュータ１００と第２のコンピュータ２００のそれぞれで同一の履歴情報カラーコード表（ＴＨ）を備えるように構成することもできる。
【００７６】
第１のコンピュータで、複数の履歴情報オブジェクト（ＯＨ）のそれぞれに工程履歴情報（Ｏｎ）を追加／累積すると共に、ＣＨ−Ｎ−ＯＨレコードごとに、履歴情報オブジェクトＯＨ（ＩＤ；Ｏ１Ｏ２Ｏ３ ・・・ ＯＭ）の各要素オブジェクトを各要素カラー（ＣＩＤ  Ｃ１Ｃ２Ｃ３ ・・・ ＣＭ）に変換し、第１のコンピュータから履歴情報カラー（ＣＨ）と共に要素カラー（ＣＩＤＣ１Ｃ２Ｃ３ ・・・ ＣＭ）を第２のコンピュータに対してインターネットを介して伝送し、第２のコンピュータで、履歴情報カラー（ＣＨ）の各要素カラー（ＣＩＤＣ１Ｃ２Ｃ３ ・・・ ＣＭ）を履歴情報オブジェクト（ＯＨ）の各要素オブジェクト（ＩＤ；Ｏ１Ｏ２Ｏ３ ・・・ ＯＭ）に逆変換し、逆変換で取得した履歴情報オブジェクトＯＨ（ＩＤ；Ｏ１Ｏ２Ｏ３ ・・・ ＯＭ）を履歴情報カラーコード表（ＴＨ）に追加／累積するように構成することもできる。
このとき、要素オブジェクトから要素カラーへの変換と、要素カラーから要素オブジェクトの逆変換には、履歴情報カラーコード表とは別の基板実装専用カラーコード表（Ｔ：ＯＮＣ表）を用いる。
【００７７】
＜数式的な関係表現＞
変換：ＯＨ（ＩＤ；Ｏ１Ｏ２Ｏ３…ＯＭ）
→ＣＨ（ＣＩＤＣ１Ｃ２Ｃ３…ＣＭ）  （ＣＳ１００において）
伝送：[ＣＳ１００]→ＣＨ（ＣＩＤＣ１Ｃ２Ｃ３…ＣＭ）→[ＣＳ２００]
逆変換：ＣＨ（ＣＩＤＣ１Ｃ２Ｃ３…ＣＭ）
→ＯＨ（ＩＤ；Ｏ１Ｏ２Ｏ３…ＯＭ）（ＣＳ２００において）
ここで、
[ＣＳ１００]，[ＣＳ２００]：コンピュータシステム１００，２００
【００７８】
その後において、トラブル等が生じてトラブル時モードになったときには、履歴情報オブジェクトＯＨの情報共有はによる対処は前述した場合と同じである。
【００７９】
図１８〜図２０を参照して本発明の他の実施形態を説明する。この実施形態では、履歴情報カラーコードが適用される患者カルテの例である。患者カルテは、固有の識別番号（ＩＤ）あるいはカルテＩＤが付与されている。患者カルテの作成履歴管理において、本実施形態に係る履歴情報カラーコードが用いられる。
【００８０】
図１８は、患者カルテ・レコード（履歴情報オブジェクト）の例を表形式で示している。同じ患者の同じ患者カルテＩＤの患者カルテ・レコード（過去の診察データ）が、日付順に累積されて、一冊の患者カルテの診療記簿を構成する。即ち、患者カルテは、患者個人の履歴情報オブジェクトの集まりであり、医療における個人情報である。この表では、患者カルテＩＤとして同一のＩＤが列方向に示されている。そして、患者カルテ・レコードの基本構成項目として、同一ＩＤの各々に対して行方向に「日付」、「検査データ」、「診察所見」、「処方箋」の項目に関する事項が記入されている。また図１９は、データベースに保存された患者カルテの履歴情報カラーコード表の例を示す。履歴情報カラーコード表は、複数または全患者のカルテのデータベースである。列方向に示された複数の患者カルテ１〜ｉの各々に対して、行方向に、履歴情報カラー（Ｃhi）、履歴情報カラー数値（Ｎhi）、履歴情報オブジェクト（Ｏhi）が示されている。ここで図１９に示した履歴情報カラーコード表において、その中に記載された表記に関してＣh＝ＣＨ、Ｎh＝ＮＨ、Ｏh＝ＯＨの関係を満たしている。
【００８１】
図２０は、前述した図１３と同様なシステム構成を示している。図２０の構成によれば、患者カルテに関して本発明に係る履歴情報カラーコードを適用した場合における遠隔医療に関するシステム構成を示している。この構成例では、第１のコンピュータシステム４００と第２のコンピュータシステム５００とから構成される。コンピュータシステム４００が遠隔地の場所（病院、診療所等）に設置されており、コンピュータシステム５００は拠点病院等に設置されている。遠隔地のコンピュータシステム４００は少なくとも１台の端末（ＰＣ）４１２と、サーバー４１３とが設けられている。コンピュータシステム５００は少なくとも１台の端末（ＰＣ）５１２と、サーバー５１３とが設けられている。病院の各部署に設置された端末４１２からの所定の事項の書込により患者カルテ４１１に対して対応する関連事項に係る情報が記入され、患者カルテの履歴情報オブジェクトに基づいて患者カルテの履歴情報カラーコード表４１４が作成される。コンピュータシステム４００の側で作成された履歴情報カラーコード表４１４は郵送等でコンピュータシステム５００側に送付され、コンピュータシステム５００に装備される。拠点病院側では、遠隔地の病院等のコンピュータシステム４００の端末４１２からの要求（送信）に応じて必要な情報が取得される。コンピュータシステム４００，５００の各々においての「ダウンロード」により患者カルテの履歴情報オブジェクトのダウンロードが行われる。
【００８２】
前述した図１７、および図２０に示した関係は、第１および第２のコンピュータシステム４００，５００が同一の履歴情報カラーコード表（ＴＨ）を保有するということに関する事前の処理モードを示している。その後に、遠隔医療の診察が生じた場合には、次のように扱われる。患者の診察に際して、当該患者のカルテ４１１に関して、患者カルテ４１１の患者カルテＩＤカラー（患者カルテＩＤカラーコード）４１１ａをカメラ２１で読取り、要求信号（送信：図２０に示す）として、患者カルテＩＤカラー（履歴情報カラーＣＨ）を、第１のコンピュータシステム４００から第２のコンピュータシステム５００にインターネット経由で送信する。
このとき、履歴情報カラーＣＨは、情報内容そのものとは切り離されている。このため盗聴される心配はない。他方、第２のコンピュータシステム５００の側では、その記憶装置に患者カルテの履歴情報カラーコード表（ＴＨ）が用意されている。その履歴情報カラーコード表（ＴＨ）を用いて逆変換処理を行って、当該履歴情報カラーＣＨから患者カルテの履歴情報オブジェクトＯＨを得ることができる。これによって、第１および第２のコンピュータシステム４００，５００の間で、患者カルテの履歴情報オブジェクトＯＨの情報を共有できる。このため、さらに、第１および第２のコンピュータシステム４００，５００の双方で共に同一の患者カルテの履歴情報を見ながら、電話やＥメール等でコミュニケーションをとって迅速かつ確実に患者の病気の診断と処方に対処することができる。
ここで「患者カルテＩＤカラー」とは、患者カルテＩＤカラーコードと履歴情報カラーＣＨの２つのカラーを包括する表現であり、図面上での表現を簡略化する。図１９は、患者カルテＩＤカラーの患者カルテＩＤカラーコードと履歴情報カラーＣＨの対応関係を示した履歴情報カラーコード表である。
【００８３】
＜数式的な関係表現＞
伝送：[ＣＳ４００]→ＣＨ→[ＣＳ５００]
逆変換：ＣＨ→ＯＨ(ＩＤ;Ｏ１Ｏ２Ｏ３…ＯＭ)  （ＣＳ５００において）
ここに、
[ＣＳ４００]，[ＣＳ５００]：コンピュータシステム４００，５００
【００８４】
上記において、第１のコンピュータシステム４００から第２のコンピュータシステム５００への履歴情報カラーＣＨの送信は、例えば、メールの主文に対して何か特定の色を付するでもよい。いずれにせよ、履歴情報カラーコード表（ＴＨ）で決められた任意のカラーが送られる。
【００８５】
次に図２１と図２２において例えば基板６０１に付された２次元の履歴情報カラーコード６０２の例を示す。当該２次元履歴情報カラーコード６０２は例えば長方形の基板の角部に設けられている。２次元履歴情報カラーコード６０２の添付箇所は、好ましくは基板の不使用領域が使用され、任意である。また当該２次元の履歴情報カラーコード６０２は図２２に示すように、例えば５×５のマトリックス（行列）状に分割し各分割領域にカラー（色）を割り当てることにより作成することができる。
【００８６】
前述した実施形態では、実装基板の生産工程１０で履歴情報カラーコードおよび履歴情報カラーコード表を適用する例、および患者カルテに適用した例を説明したが、本発明に係る履歴情報カラーコード等は、次のような他の用途にも適用することができる。
【００８７】
例えばドキュメントの履歴情報管理（改訂、決済、保管、廃却、情報管理等）、カラー画像暗号化画像ファイルの履歴情報管理（アクセス履歴等）、基板の後工程履歴（実装基板の出荷後の後工程履歴）である。
【００８８】
その他に、関連する応用例としては、自動車組立てライン等の生産ラインの工程履歴、食品生産履歴（食品の産地情報、生産履歴、流通履歴等）、リサイクル工程履歴（ＰＣ、家電等の回収した製品の受入から解体、最終処分までのリサイクル工程履歴等）、販売履歴（自動車等の商品の過去の取引条件等）等に適用することができ、時系列的な変化の記載が必要な情報であればよく、かかる文章および書類に適している。
【００８９】
以上の実施形態で説明された構成、形状、大きさおよび配置関係については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
【産業上の利用可能性】
【００９０】
本発明に係る履歴情報カラーコード等は、生産工程等における製品の履歴情報のコンピュータ管理、およびインターネットを介した配信等に利用され、並びに時系列的な変化の記載が必要な情報であればよく、かかる文章、書類に適している。
【符号の説明】
【００９１】
１０            生産工程
１０−１        組立ライン
１１            基板
１１ａ          基板ＩＤカラーコード
１２Ａ〜１２Ｆ  端末
１３            サーバー
２１            カメラ
２１Ａ          固定カメラ
２１Ｂ          携帯カメラ
２２            作業者
３１            マガジンラック
３１ａ          ラックＩＤカラーコード
３２            管理者（管理フロアー）
３３            端末
４１            カード
４３            社員情報カラーコード表
４４            履歴情報カラーコード表
１００          第１のコンピュータシステム
１０１          コンピュータ
２００          第２のコンピュータシステム
２１０          携帯電話
３００          インターネット
４００          第１のコンピュータシステム
５００          第２のコンピュータシステム
【図１】
2011059938.tif 000003
【図２】
2011059938.tif 000004
【図３】
2011059938.tif 000005
【図４】
2011059938.tif 000006
【図５】
2011059938.tif 000007
【図６】
2011059938.tif 000008
【図７】
2011059938.tif 000009
【図８】
2011059938.tif 000010
【図９】
2011059938.tif 000011
【図１０】
2011059938.tif 000012
【図１１】
2011059938.tif 000013
【図１２】
2011059938.tif 000014
【図１３】
2011059938.tif 000015
【図１４】
2011059938.tif 000016
【図１５】
2011059938.tif 000017
【図１６】
2011059938.tif 000018
【図１７】
2011059938.tif 000019
【図１８】
2011059938.tif 000020
【図１９】
2011059938.tif 000021
【図２０】
2011059938.tif 000022
【図２１】
2011059938.tif 000023
【図２２】
2011059938.tif 000024
【図２３】
2011059938.tif 000025
【図２４】
2011059938.tif 000026
【図２５】
2011059938.tif 000027